(57)【要約】  【課題】  超音波コネクタにおける接続作業をなくし、細径な超音波信号ケーブルチャンネルに容易に挿通できる超音波信号ケーブルコネクタ装置を提供する。  【解決手段】  電子走査式超音波振動子に接続された超音波信号ケーブル６７の外径以下の幅寸法を有する長方形状の配線基板１１と、超音波信号ケーブルの複数の信号線を接続させるために配線基板の一方の短辺側の表面に並列配置させた複数の信号線接続ランド１４、１５と、超音波コネクタ６８に設けた複数の接続コネクタ片と接続させるために配線基板１１の表面長手方向に縦列配置させた複数の接片ランド１８、１９と、信号線ランド１４、１５と接片ランド１８、１９のそれぞれを接続する複数の配線パターン１６、１７を備えた超音波信号ケーブルコネクタ装置。  【選択図】  図１
2005192640.tif 000002
【特許請求の範囲】
【請求項１】
体腔内に挿入される挿入部先端に設けられ、体腔内組織に対して超音波を発信すると共に、体腔内組織から反射された超音波を受信して超音波信号を生成する電子走査式超音波振動子を有する超音波内視鏡と、その超音波内視鏡の超音波振動子を駆動制御すると共に、生成された超音波信号から超音波画像信号を生成する超音波観測機器とからなる超音波内視鏡装置に用いられる超音波信号ケーブルコネクタ装置において、
前記電子走査式超音波振動子に接続された複数の信号線を有する超音波信号ケーブルと、  この超音波信号ケーブルを前記超音波観測機器に接続するための超音波コネクタと、
前記超音波信号ケーブルの外径と略同等或いはそれ以下の幅寸法を有する長方形状の配線基板と、
前記超音波信号ケーブルの複数の信号線を電気的に接続させるために、前記配線基板の一方の短辺側の表面に並列配置させた複数の信号線接続ランドと、
前記超音波コネクタに設けられた複数の接続コネクタ片と電気的に接続させるために、前記配線基板の表面長手方向に縦列配置させた複数の接片ランドと、
前記配線基板の表面に設けられ、前記複数の信号線接続ランドと接片ランドとのそれぞれを接続する複数の配線パターンと、
を具備したことを特徴とする超音波信号ケーブルコネクタ装置。
【請求項２】
前記複数の信号線接続ランド、接片ランド、及び配線パターンのそれぞれを前記配線基板の表裏両面に設けたことを特徴とする請求項１記載の超音波信号ケーブルコネクタ装置。
【請求項３】
前記複数の信号線接続ランドを前記配線基板の一方の短辺側の表裏両面に並列配置し、前記複数の接片ランドを前記配線基板の表面の両長辺側に縦列配置し、前記配線基板の裏面に設けられた前記信号線接続ランドは、スルーホールを介して、前記接片ランドに接続させたことを特徴とする請求項１記載の超音波信号ケーブルコネクタ装置。
【請求項４】
前記超音波コネクタは、前記配線基板の接片ランドに圧着接続される複数の接点ランドと、その接点ランドから延出され、前記超音波観測機器に接続するための複数のコネクタピンに接続するための複数の接続パターンを有するコネクタ受け部を有したことを特徴とする請求項１乃至３のいずれかに記載の超音波信号ケーブルコネクタ装置。
【発明の詳細な説明】
【技術分野】
【０００１】
本発明は、超音波を利用して体腔内を観察する超音波内視鏡装置において、特に電子走査式超音波素子の駆動制御信号と超音波信号を送受信する複数の信号線からなる超音波信号ケーブルを超音波観測機器の超音波コネクタに接続させる超音波信号ケーブルコネクタ装置に関する。
【背景技術】
【０００２】
近年、医療分野では、体腔内に挿入して生体組織の観察、採取、及び治療処置を行う際に内視鏡が用いられている。この内視鏡には、体腔内に挿入される挿入部先端に、超音波振動子を備え、その超音波振動子から生体組織に対して超音波を送信し、生体組織から反射された超音波から超音波断層画像を生成して、生体組織を観察する超音波内視鏡装置がある。
【０００３】
この超音波内視鏡装置に用いる超音波内視鏡の構成を図９を用いて説明する。超音波内視鏡６１は、体腔内に挿入される細長の挿入部６２、この挿入部６２の後端に設けられる操作部６３、この操作部６３の基端に設けられる接眼部６４、前記操作部６３から延出されたユニバーサルコード６５、このユニバーサルコード６５の基端に設けられた、図示していない光源装置に接続される内視鏡コネクタ６６、この内視鏡コネクタ６６から延出され先端に超音波コネクタ６８を有する超音波信号ケーブル６７から構成されている。
【０００４】
前記挿入部６２は、細径に形成され、先端から先端硬質部６９、湾曲部７０、長尺な可撓性を有する可撓部７１が順に設けられている。この先端硬質部６９には、超音波を送受する複数の圧電素子が配列して構成される電子走査式超音波振動子を備えた超音波振動子部７３が設けられている。
【０００５】
前記操作部６３は、前記挿入部６２の湾曲部７０を所望の方向に湾曲操作する湾曲ノブ７２、前記挿入部６２内に設けられている図示していない送気・送水チャンネルに送気・送水するための送気・送水ボタン、吸引チャンネルに吸気・吸水する吸引ボタン、鉗子チャンネルに鉗子処置具を挿入する鉗子処置具挿入口等が設けられている。前記接眼部６４は、前記挿入部６２の先端硬質部６９に設けられた対物レンズが取り込んだ体腔内の光学像をイメージガイドにより案内され視認する。
【０００６】
前記内視鏡コネクタ６６は、図示していない光源装置に接続され、光源装置からの照明光をユニバーサルコード６５、操作部６３、挿入部６２に内蔵されているライトガイドによって導光され先端硬質部６９から体腔内の観察部位に投射する。前記内視鏡コネクタ６６から延出される超音波信号ケーブル６７は、前記ユニバーサルコード６５、操作部６３、挿入部６２に設けられた図示していない超音波信号ケーブルチャンネルを介して挿通され、前記超音波振動子部７３に設けられた電子走査式超音波振動子に接続されている。この超音波信号ケーブル６７の先端に設けられた超音波コネクタ６８は、前記超音波振動子部７３の電子走査式超音波振動子による超音波の送受駆動制御を行う図示していない超音波観測機器に接続する。
【０００７】
前記超音波信号ケーブル６７は、前記超音波振動子部７３に設けられた電子走査式超音波振動子の複数の圧電素子に接続されて、それぞれの圧電素子から超音波を送受する信号用の複数の信号線と、その複数の信号線を所定本数単位毎にグルーピングし、そのグルーピング毎の各信号線のシールドと絶縁被覆、及び全てのグループの信号線全体のシールドと絶縁被覆からなっている。
【０００８】
この超音波信号ケーブル６７の基端側の複数の信号線は、前記超音波振動子部７３に設けられる電子走査式超音波振動子の複数の圧電素子にそれぞれ電気的に接続される。前記複数の圧電素子に接続された前記超音波信号ケーブル６７の先端は、前記挿入部６２の先端硬質部６９に設けられた超音波信号ケーブルチャンネル開口から挿入される。この先端硬質部６９の超音波信号ケーブルチャンネル開口から挿入された前記超音波信号ケーブル６７は、前記挿入部６２の湾曲部７０と可撓部７１、操作部６３、ユニバーサルコード６５、内視鏡コネクタ６６の超音波信号ケーブルチャンネルを挿通して超音波コネクタ６８に接続される。
【０００９】
この超音波コネクタ６8には、前記超音波信号ケーブル６７の複数の信号線と、シールドをそれぞれ電気的に接続するための後述する接続コネクタ１０２と、それぞれの信号線により送受される信号の超音波観測機器とのマッチングを行う後述するマッチング基板１０１が設けられている。
【００１０】
前記超音波信号ケーブル６７の複数の信号線の先端には、前記信号線をグルーピングしたグループ毎にケーブルコネクタ基板が設けられる。このケーブルコネクタ基板によって、前記超音波コネクタ６８の接続コネクタ１０２に接続されるようになっている。このケーブルコネクタ基板の構成は、例えば、特許文献１に提案されている。
【００１１】
この特許文献１に提案されている超音波信号ケーブルの先端に設けられるケーブルコネクタ基板の構成について、図１０乃至図１２を用いて説明する。最初に図１２を用いて超音波コネクタ６８の構成を簡単に説明する。なお、図１２は、超音波コネクタの断面図である。
【００１２】
この超音波コネクタ６８は、略長方形の箱状の金属フレーム１０６、ケーブル挿入孔１００、接続コネクタ１０２、絶縁シート１０３、マッチング基板１０１、ベース基板１０４、金属基板１０７、コネクタユニット１０８からなる。ケーブル挿入孔１００は、前記金属フレーム１０６内に前記超音波信号ケーブル６７を挿入するための挿入孔である。接続コネクタ１０２は、前記ケーブル挿入孔１００から挿入された超音波信号ケーブル６７の先端に設けられた後述する複数のケーブルコネクタ基板と、そのケーブルコネクタ基板に接続された後述する延長基板９５が装着される。絶縁シート１０３は、前記接続コネクタ１０２に前記延長基板９５を装着接続する際に、前記延長基板９５と金属フレーム１０６との間に介装されて絶縁する。マッチング基板１０１は、前記接続コネクタ１０２に電気的に接続され、前記超音波信号ケーブル６７に接続されている電子走査式超音波振動子と超音波観測機器とのマッチングを行うマッチング回路が搭載された基板である。ベース基板１０４は、前記マッチング基板１０１に接続され、かつ、超音波観測機器に接続するための複数のコネクタピンが設けられている。金属基板１０７は、前記ベース基板１０４のコネクタピンの周辺を覆い、前記金属フレーム１０６に固定されている。コネクタユニット１０８は、超音波コネクタ６８を前記超音波観測機器に装着した際に前記金属フレーム１０６と金属基板１０７を超音波観測機器の基準電位と同電位とする。
【００１３】
この超音波コネクタ６８に接続される超音波信号ケーブル６７の構成について図１０を用いて説明する。この超音波信号ケーブル６７は、複数の信号芯線８１、この複数の信号芯線８１のそれぞれの周囲に設けられた誘電体層８２、それぞれの誘電体層８２の周囲に設けられたシールド８３、そのシールド８３の周囲に被覆された絶縁被覆層８４からなる信号線と、この信号線を複数本単位でグルーピングして形成した複数の同軸線８５ａ，８５ｂ，８５ｃ，８５ｄと、この複数の同軸線８５ａ〜８５ｄをまとめて、その周囲に設けられた全体シールド８６と、この全体シールド８６を被覆する全体絶縁被覆８７からなっている。
【００１４】
前記複数の同軸線８５ａ〜７８ｄのそれぞれの先端には、ケーブルコネクタ基板８８ａ〜８８ｄが接続されている。このケーブルコネクタ基板８８ａ〜８８ｄは、図示するように、各同軸線８５ａ〜８５ｄの先端からケーブルコネクタ基板８８ａ〜８８ｄの長さＬ分、同軸線８５ａ〜８５ｄの軸方向にずらして接続されている。つまり、ケーブルコネクタ基板８８ａ〜８８ｄが相互に重ならないように配置されている。
【００１５】
このケーブルコネクタ基板８８ａ〜８８ｄの構成について、図１１を用いて説明する。このケーブルコネクタ基板８８は、図１１（ａ）に示すように、長方形状のフレキシブル基板によって形成されている。この長方形状のフレキシブル基板の一方の表面の短辺側に前記同軸線８５の信号芯線８１を電気的に接続するための等間隔に設けられた第１の配線ランド８９ａ、前記同軸線８５のシールド８３を電気的に接続される第１の接地配線ランド９０ａが設けられている。前記長方形状のフレキシブル基板の表面の一方の長辺側に等間隔に設けられた第２の配線ランド８９ｃ、この第２の配線ランド８９ｃと併設された第２の接地配線ランド９０ｃが設けられている。さらに、フレキシブル基板の表面には、前記第１の配線ランド８９ａと第２の配線ランド８９ｃを接続する配線パターン８９ｂ、前記第１の接地配線ランド９０ａと第２の接地配線ランド９０ｃを接続する接地配線パターン９０ｂが形成されている。このケーブルコネクタ基板８８の第１の配線ランド８９ａと第１の接地配線ランド９０ａが形成される短辺側の幅は、前記超音波内視鏡６１の挿入部６２、操作部６３、ユニバーサルコード６５、内視鏡コネクタ６６に設けられている超音波信号ケーブルチャンネルに挿通可能な寸法に形成されている。
【００１６】
このケーブルコネクタ基板８８に接続する延長基板９５は、長方形状のフレキシブル基板によって形成されている。この長方形状のフレキシブル基板の表面の一方端側には、前記ケーブルコネクタ基板８８の第２の配線ランド８９ｃと第２の接地配線ランド９０ｃと電気的に接続される配線ランド９６が設けられている。このフレキシブル基板の表面の他方端側には、前記超音波コネクタ６８の接続コネクタ１０２に装着される接続ランド９７が設けられ、前記配線ランド９６と接続ランド９７とを接続する配線パターン９５からなっている。
【００１７】
前記超音波信号ケーブル６７の複数の同軸線８５ａ〜８５ｄの先端に前記ケーブルコネクタ基板８８ａ〜８８ｄが接続された状態において、前記ケーブルコネクタ基板８８が接続された側から前記挿入部６２の先端硬質部６９から挿入して、前述したように、挿入部６２、操作部６３、ユニバーサルコード６５、内視鏡コネクタ６６の超音波信号ケーブルチャンネルを挿通して、前記超音波コネクタ６８のケーブル挿入孔１００から挿入させる。このケーブル挿入孔１００から超音波コネクタ６８の内部に挿入された超音波信号ケーブル６７の同軸線８５ａ〜８５ｄの先端にそれぞれ接続されたケーブルコネクタ基板８８ａ〜８８ｄの第２の配線ランド８９ｃと第２の接地配線ランド９０ｃには、前記延長基板９５の配線ランド９６が半田付により電気的に接続させる。
【００１８】
前記ケーブルコネクタ基板８８の第２の配線ランド８９ｃと第２の接地配線ランド９０ｃに、配線ランド９６が電気的に接続された前記延長基板９５の他方の配線ランド９７は、前記超音波コネクタ６８の接続コネクタ１０２に装着されて、前記マッチング基板１０１を介して、前記ベース基板１０４のコンタクトピンに接続される。
【００１９】
つまり、超音波信号ケーブル６７は、細径な超音波信号ケーブルチャンネルに挿通可能な形状のケーブルコネクタ基板８８をケーブル先端に接続させて挿通させ、超音波コネクタ６８に挿入後に延長基板９５を介してマッチング基板１０１に接続している。
【特許文献１】特開２０００−１３９９２７号公報（第５頁右欄から第７頁左欄、図８から図１２参照）
【発明の開示】
【発明が解決しようとする課題】
【００２０】
従来の超音波内視鏡において、電子走査式超音波振動子に接続された超音波ケーブル６７の信号芯線８１は、電子走査式超音波振動子を構成する圧電素子の数によるが、数十本以上の比較的多くの本数が内蔵されている。このために超音波信号ケーブル６７の外形の細径化と、複数の圧電素子の幅が狭く信号芯線の電気的接続部分も狭いことなどから前記信号芯線８１の線径が極細化されている。
【００２１】
更に、前記超音波信号ケーブル６７の先端に接続されたケーブルコネクタ基板８８の形状寸法は、前述したように、挿入部６２、ユニバーサルコード６５などの細径な超音波信号ケーブルチャンネルに挿通させるために、この超音波信号ケーブルチャンネルの内径以下にする必要がある。
【００２２】
このため、前記超音波信号ケーブル６７の所定の本数の信号芯線８１を接続する前記ケーブルコネクタ基板８８に設けられる第１の配線ランド８９ａのランド幅とランド間隔は極小化する。従って、ランド幅とランド間隔が極小である第１の配線ランド８９ａに、極細な信号芯線８１を半田付による電気的接続は高度な熟練した作業が必要となる。
【００２３】
一方、前記超音波コネクタ６８の接続コネクタ１０２に設けられる複数のコネクタ片は、コネクタ片幅とコネクタ片間隔が比較的広く設定されて、接触不良が生じないように配慮されている。この超音波コネクタ６８の接続コネクタ１０２のコネクタ片に対応して、前記ケーブルコネクタ基板８８の第２の配線ランド８９ｃのランド幅とランド間隔が設定されている。かつ、前記接続コネクタ１０２への装着を容易とするために前記延長基板９５が設けられている。
【００２４】
しかし、前記超音波信号ケーブル６７に事前に前記ケーブルコネクタ基板８８を接続した状態において、前記超音波信号ケーブルチャンネルに挿通して、前記超音波コネクタ６８のケーブル挿入孔１００に挿入した後に、前記延長基板９５を半田接続する必要がある。この超音波コネクタ６８の狭い内部におけるケーブルコネクタ基板８８と延長基板９５との半田付け作業は煩雑で熟練を要する。又、このケーブルコネクタ基板８８と延長基板９５の半田付け箇所は、外力により亀裂が容易に発生する課題がある。
【００２５】
本発明は、このような事情に鑑みてなされたもので、作業環境の狭い超音波コネクタにおける電気的接続作業をなくし、細径な超音波信号ケーブルチャンネルに容易に挿通できる超音波内視鏡用超音波信号ケーブルコネクタ装置を提供することを目的としている。
【課題を解決するための手段】
【００２６】
本発明の超音波信号ケーブルコネクタ装置は、体腔内に挿入される挿入部先端に設けられ、体腔内組織に対して超音波を発信すると共に、体腔内組織から反射された超音波を受信して超音波信号を生成する電子走査式超音波振動子を有する超音波内視鏡と、その超音波内視鏡の超音波振動子を駆動制御すると共に、生成された超音波信号から超音波画像信号を生成する超音波観測機器とからなる超音波内視鏡装置に用いられる超音波信号ケーブルコネクタ装置において、前記電子走査式超音波振動子に接続された複数の信号線を有する超音波信号ケーブル６７と、この超音波信号ケーブルを前記超音波観測機器に接続するための超音波コネクタ６８と、前記超音波信号ケーブルの外径と略同等或いはそれ以下の幅寸法を有する長方形状の配線基板１１と、前記超音波信号ケーブルの複数の信号線を電気的に接続させるために、前記配線基板の一方の短辺側の表面に並列配置させた複数の信号線接続ランド１５と、前記超音波コネクタに設けられた複数の接続コネクタ片と電気的に接続させるために、前記配線基板の表面長手方向に縦列配置させた複数の接片ランド１８と、前記配線基板の表面に設けられ、前記複数の信号線ランドと接片ランドとのそれぞれを接続する複数の配線パターン１７と、を具備したことを特徴とする。
【００２７】
本発明の超音波信号ケーブルコネクタ装置は、前記複数の信号線接続ランド１５、接片ランド１８、及び配線パターン１７のそれぞれを前記配線基板１１の表裏両面に設けたことを特徴とする。
【００２８】
本発明の超音波信号ケーブルコネクタ装置は、前記複数の信号線接続ランド１５を前記配線基板１１の一方の短辺側の表裏両面に並列配置し、前記複数の接片ランド１８を前記配線基板１１の表面の両長辺側に縦列配置し、前記配線基板１１の裏面に設けられた前記信号線接続ランド１５は、スルーホールを介して、前記接片ランドに接続させたことを特徴とする。
【００２９】
本発明の超音波信号ケーブルコネクタ装置の前記超音波コネクタ６８は、前記配線基板１１の接片ランド１８に圧着接続される複数の接点ランド２２と、その接点ランドから延出され、前記超音波観測機器に接続するための複数のコネクタピンに接続するための複数の接続パターン２２を有するコネクタ受け部２０を有したことを特徴とする。
【００３０】
本発明の超音波信号ケーブルコネクタ装置は、超音波信号ケーブルの先端への半田付により電気的接続作業回数が最小化でき、かつ、細径な超音波信号ケーブルチャンネルに容易に挿通できると共に、超音波コネクタに設けられた接続コネクタへの装着も容易となる。
【発明の効果】
【００３１】
本発明は、超音波振動子に接続された超音波信号ケーブルの先端へのケーブルコネクタの接続作業回数の最小化と、細径な超音波ケーブルチャンネルへの挿通と、超音波コネクタへの装着作業が簡素となり、作業効率が向上し、かつ、ケーブルコネクタの強度が向上する効果を有している。
【発明を実施するための最良の形態】
【００３２】
以下、本発明の実施形態について図を用いて説明する。本発明の超音波信号ケーブルコネクタ装置の第一の実施形態を図１乃至図３を用いて説明する。図１は本発明に係る超音波信号ケーブルコネクタ装置の第一の実施形態の構成を示す表面図、図２は本発明に係る超音波信号ケーブルコネクタ装置の第一の実施形態の超音波コネクタに設けられる接続基板の構成を示す表面図、図３は本発明に係る超音波信号ケーブルコネクタ装置を超音波コネクタへの装着状態を示し、図３（ａ）は表面図、図３（ｂ）は断面図である。
【００３３】
超音波内視鏡装置において、図６を用いて前述したように超音波内視鏡６１の挿入部先端に設けられた電子走査式超音波振動子に接続された超音波信号ケーブル6７は、超音波内視鏡の挿入部６２、操作部６３、ユニバーサルコード６５、内視鏡コネクタ６６に設けられている細径の超音波信号ケーブルチャンネルに挿通され、超音波観測機器に超音波コネクタ６８を介して接続される。この超音波信号ケーブル６７の先端には、前記超音波コネクタ６８との接続用のケーブルコネクタが用いられている。
【００３４】
この超音波信号ケーブル６７の先端に設けられる前記超音波コネクタ６８に接続するための、本発明に係る超音波信号ケーブルコネクタ装置について、図１を用いて説明する。なお、本発明に用いる超音波信号ケーブルと超音波コネクタの構成は、図１０乃至図１２を用いて前述した超音波信号ケーブル６７と超音波コネクタ６８と同じである。
【００３５】
本発明の第一の実施形態の超音波信号ケーブルコネクタ装置（以下、単にケーブルコネクタと称する）１０は、絶縁性ベース基板の表面に接続ランドや配線パターンが形成された配線基板１１である。この配線基板１１は、長方形状に形成され、少なくとも短辺側は、前記超音波内視鏡６１の超音波信号ケーブルチャンネルに挿通される超音波信号ケーブル６８の外径と同じか、或いはそれ以下、または、前記超音波信号ケーブルチャンネルの内径以下に形成されている。なお、この配線基板１１は、硬質の基板、または軟性なフレキシブル基板のいずれでも良い。
【００３６】
この配線基板１１は、長手方向に前記超音波信号ケーブル６７を接続するケーブル接続部１２と、前記超音波コネクタ６８に接続するコネクタ接続部１３とに区分されている。前記ケーブル接続部１２には、複数の信号線接続ランド１５ａ〜１５ｎと接地ランド１４が設けられている。前記信号線接続ランド１５ａ〜１５ｎは、前記配線基板１１の長手方向に平行並列配置され、前記超音波信号ケーブル６７の同軸線８５ａ〜８５ｄの複数の信号芯線８１それぞれが半田付けにより電気的に接続される。前記接地ランド１４は、前記信号線接続ランド１５ａ〜１５ｎに接続した前記複数の信号芯線８１に設けられているシールド８３をそれぞれ半田付けにより電気的に接続される。
【００３７】
前記コネクタ接続部１３は、接地パターン１６ａ，１６ｂ、複数の配線パターン１７ａ〜１７ｎ、複数の接片ランド１８ａ〜１８ｎ、接地接片ランド１９ａ，１９ｂが設けられている。前記接片ランド１８ａ〜１８ｎは、前記配線基板１１の長手方向の中心部分に同一形状寸法により等間隔に縦列配置されている。前記接地接片ランド１９ａ，１９ｂは、前記接片ランド１８ａ〜１８ｎと同一形状寸法により、接片ランド１８ａ〜１８ｎの先端側に等間隔に縦列配置されている。前記接地パターン１６ａ，１６ｂは、前記ケーブル接続部１２の接地ランド１４の両端から配線基板１１の両長辺に沿って延出されて、前記接地接片ランド１９ａ，１９ｂに接続されている。前記配線パターン１７ａ〜１７ｎは、前記ケーブル接続部１２の信号線接続ランド１５ａ〜１５ｎから配線基板１１の両長辺に沿って延出されて、前記接片ランド１８ａ〜１８ｎにそれぞれ接続されている。
【００３８】
つまり、前記超音波信号ケーブル６７の複数の信号芯線８１が前記ケーブル接続部１２の信号線接続ランド１５ａ〜１５ｎにそれぞれ半田付け接続されると、コネクタ接続部１３の配線パターン１７ａ〜１７ｎを介して、接片ランド１８ａ〜１８ｎに電気的に接続される。前記信号芯線８１のそれぞれのシールド８３が前記ケーブル接続部１２の接地ランド１４に半田付け接続されると、コネクタ接続部１３の接地パターン１６ａ，１６ｂを介して接地接片ランド１９ａ，１９ｂに接続される。このような構成のケーブルコネクタ１０は、前記超音波信号ケーブル６７の同軸線８５ａ〜８５ｄ毎に接続配置させる。
【００３９】
一方、従来の超音波コネクタ６８の接続コネクタ１０２に装着される延長基板９５に代えて、本発明のケーブルコネクタ１０のコネクタ接続部１３が装着されるコネクタ受け部２０が設けられている。このコネクタ受け部２０は、配線基板２１の表面に、前記ケーブルコネクタ１０のコネクタ接続部１３に設けられた接片ランド１８ａ〜１８ｎと接地接片ランド１９ａ，１９ｂと同じ形状寸法と間隔の接点ランド２２ａ〜２２ｎと接地接点ランド２３ａ，２３ｂが形成されている。この接点ランド２２ａ〜２２ｎと接地接点ランド２３ａ，２３ｂからは、接続パターン２４ａ〜２４ｎと接地パターン２５ａ，２５ｂがそれぞれ延出されて、前記マッチング基板１０１に接続されている。
【００４０】
つまり、このコネクタ受け部２０の配線基板２１の表面に設けられた前記接点ランド２２ａ〜２２ｎと接地接点ランド２３ａ，２３ｂは、前記ケーブルコネクタ１０のコネクタ接続部１３の接片ランド１８ａ〜１８ｎと接地接片ランド１９ａ，１９ｂが重なり接触される形状寸法に形成されている。
【００４１】
前記コネクタ受け部２０の配線基板２１の表面には、前記接点ランド２２ａ〜２２ｎ、接地接点ランド２３ａ，２３ｂ、配線パターン２４ａ〜２４ｎ、接地パターン２５ａ，２５ｂが形成された周辺３辺には、コネクタ装着枠２６が設けられている。このコネクタ装着枠２６は、前記ケーブルコネクタ１０のコネクタ接続部１３の配線基板１１の形状と同一形状とし、前記コネクタ接続部１３を前記コネクタ受け部２０に重ねた際のコネクタ接続部１３の位置決め用である。
【００４２】
このケーブルコネクタ１０とコネクタ受け部２０との接続方法について、図３を用いて説明する。前記コネクタ装着枠２６内に、前記ケーブルコネクタ１０のコネクタ接続部１３を装着する。このコネクタ装着枠２６に前記コネクタ接続部１３が装着されると、前記コネクタ受け部２０の接点ランド２２ａ〜２２ｎと接地接点ランド２３ａ，２３ｂに、前記ケーブルコネクタ１０のコネクタ接続部９５の接片ランド１８ａ〜１８ｎと接地接片ランド１９ａ，１９ｂが相互に面接触される。
【００４３】
前記コネクタ装着枠２６に装着された前記ケーブルコネクタ１０は、前記コネクタ受け部２０に押圧固定具３１により押圧固定される。この押圧固定具３１は、前記ケーブルコネクタ１０の少なくともコネクタ接続部１３の裏面に面接触される押圧面３２、前記コネクタ装着枠２６との接触係合を回避すると共に押圧面３２に弾性を与える凹部３３ａ，３３ｂ、この凹部３３ａ，３３ｂから延出し、前記コネクタ受け部２０の配線基板２１の表面に配置される脚部３４ａ，３４ｂ、この脚部３４ａ，３４ｂを前記コネクタ受け部２０の配線基板２１に固定する雄ネジ３５ａ，３５ｂからなっている。
【００４４】
すなわち、前記コネクタ受け部２０のコネクタ装着枠２６に前記ケーブルコネクタ１０のコネクタ接続部１３を装着させ後、前記押圧固定具３１を前記ケーブルコネクタ１０の裏面に載置し、この押圧固定具３１の脚部３４ａ，３４ｂを雄ネジ３５ａ，３５ｂにより固定する。これにより、前記押圧固定具３１の押圧面３２は、前記ケーブルコネクタ１０を押圧するために、前記ケーブルコネクタ１０の前記コネクタ接続部１３の接片ランド１７ａ〜１７ｎ、接地接片ランド１８ａ，１８ｂと、前記コネクタ受け部２０の接点ランド２２ａ〜２２ｎ、接地接点ランド２３ａ，２３ｂとを相互に圧着面接触される。
【００４５】
以上説明したように、ケーブルコネクタ１０は、少なくとも内視鏡挿入部６２の超音波信号ケーブルチャンネルの内径以下の幅を有する長方形状の配線基板１１の短辺側に超音波信号ケーブル６７の複数の信号線を接続するために並列配置した信号線接続ランド１５ａ〜１５ｎと接地ランド１４を有するケーブル接続部１２と、この信号線接続ランド１５ａ〜１５ｎと接地ランド１４に接続され、前記配線基板１１の長手方向の中央部分に等間隔に縦列配置した複数の接片ランド１８ａ〜１８ｎと接地ランド１９ａ，１９ｂを有するコネクタ接続部１３とから構成されている。
【００４６】
このケーブルコネクタ１０は、超音波コネクタ６８に設けられたコネクタ受け部２０に重ね合わせ、かつ、押圧固定具３１により押圧固定することにより、ケーブルコネクタ１０の接片ランド１８ａ〜１８ｎ、接地ランド１９ａ，１９ｂと、コネクタ受け部２１の接点ランド２２ａ〜２２ｎ、接地接点ランド２３ａ，２３ｂとを圧接面接続される。
【００４７】
なお、前記ケーブルコネクタ１０の接片ランド１８ａ〜１８ｎ、接地ランド１９ａ，１９ｂと、コネクタ受け部２０の接点ランド２２ａ〜２２ｎ、接地ランド２３ａ，２３ｂの間に導電ゴム等の導電性部材を介装させると、前記ケーブルコネクタ１０の接片ランド１８ａ〜１８ｎ、接地ランド１９ａ，１９ｂと、コネクタ受け部２０の接点ランド２２ａ〜２２ｎ、接地接点ランド２３ａ，２３ｂとの圧接面接続がより強固に行われる。
【００４８】
また、前記超音波コネクタ６８の接続コネクタ１０２に接続するための半田付け作業が廃止できるために、超音波コネクタ６８への接続作業が簡素となる。
【００４９】
次に、本発明に係る超音波信号ケーブルコネクタ装置の第二の実施形態を図４乃至図７を用いて説明する。図４は、本発明に係る超音波信号ケーブルコネクタ装置の第二の実施形態の構成を示し、図４（ａ）は表面図、図４（ｂ）は裏面図、図４（ｃ）断面図である。図５は本発明に係る超音波信号ケーブルコネクタ装置の第二の実施形態である超音波信号ケーブルコネクタを装着するコネクタ受け部の構成を示し、図５（ａ）は表面図、図５（ｂ）は断面図である。図６は本発明に係る超音波信号ケーブルコネクタ装置の第二の実施形態である超音波信号ケーブルコネクタとコネクタ受け部とを接続する接続基板の構成を示し、図６（ａ）は表面図、図６（ｂ）は断面図である。図７は本発明に係る超音波信号ケーブルコネクタ装置の第二の実施形態である超音波信号ケーブルコネクタとコネクタ受け部との装着状態を示し、図５（ａ）は表面図、図５（ｂ）は断面図である。
【００５０】
前述した本発明の第一の実施形態のケーブルコネクタ１０は、配線基板１１の一方の表面に、接地ランド１４、信号線接続ランド１５、接地パターン１６、配線パターン１７、接片ランド１８、接地接片ランド１９が設けられている。この第二の実施形態のケーブルコネクタ４０は、配線基板１１の両面１１ａ，１１ｂに、接地ランド１４、１４’、信号線接続ランド１５、１５’、接地パターン１６、１６’、配線パターン１７、１７’、接片ランド１８、１８’、接地接片ランド１９、１９’が設けられている。この両面に設けられている接地ランド１４、１４’、信号線接続ランド１５、１５’、接地パターン１６、１６’、配線パターン１７、１７’、接片ランド１８、１８’、接地接片ランド１９、１９’の形状寸法などは同一である。
【００５１】
このように配線基板１１の両面に接地ランド１４、１４’、信号線接続ランド１５、１５’、接地パターン１６、１６’、配線パターン１７、１７’、接片ランド１８、１８’、接地接片ランド１９、１９’が設けられたことにより、ケーブルコネクタ４０に接続される超音波信号ケーブル６７の信号線が略倍となる。すなわち、図１０を用いて説明した超音波信号ケーブル６７の２つの同軸線８５ａ，８５ｂが一つのケーブルコネクタ４０に接続可能となる。
【００５２】
なお、このケーブルコネクタ４０のコネクタ接続部１３の略中央部のケーブル接続部１２の近傍に第１の位置決め穴２７ａと、コネクタ接続部１３の先端側の一方の長辺部近傍に第２の位置決め穴２７ｂが設けられている。この第１と第２の位置決め穴２７ａ，２７ｂは後述する超音波コネクタ６８の延長基板９５に代えて接続コネクタ１０２に設けられるコネクタ受け部４１の第１と第２の位置決め軸４５ａ，４５ｂに挿通される。
【００５３】
このように両面に超音波信号ケーブル６７が接続可能なケーブルコネクタ４０に対応する超音波コネクタ６８の延長基板９５の代わりに接続コネクタ１０２に設けられるコネクタ受け部４１について図５を用いて説明する。
【００５４】
このコネクタ受け部４１は、配線基板に前記ケーブルコネクタ４０が装着される長方形状の凹面部４２が形成されている。この凹面部４２は、配線基板の厚み方向に前記ケーブルコネクタ４０の配線基板１１の厚みと略同じ形状寸法の凹部である。この凹面部４２の底面長手方向の中心部には、前記ケーブルコネクタ４０の裏面配線基板１１ｂに設けられた接片ランド１８’ａ〜１８’ｎと接地接片ランド１９’ａ，１９’ｂと同一形状寸法と間隔により形成された第１の接点ランド４３ａ〜４３ｎと第１の接地接点ランド４４ａ、４４ｂが設けられている。前記第１の接点ランド４３ａ〜４３ｎの図中右側には、前記ケーブルコネクタ４０の第１の位置決め穴２７ａに挿通される第１の位置決め軸４５ａ、前記第１の接地接点ランド４４ｂの図中下側に、前記ケーブルコネクタ４０の第２の位置決め穴２７ｂに挿通される第２の位置決め軸４５ｂが設けられている。
【００５５】
つまり、前記ケーブルコネクタ４０の裏面側から前記第１と第２の位置決め軸４５ａ，４５ｂに前記第１と第２の位置決め穴２７ａ，２７ｂを挿通させながら前記凹面部４２に装着すると、前記ケーブルコネクタ４０の裏面配線基板１１ｂの接片ランド１８’ａ〜１８’ｎ、接地接片ランド１９’ａ，１９’ｂと、前記凹面部４２の第１の接点ランド４３ａ〜４３ｎ、第１の接地接点ランド４４ａ，４４ｂがそれぞれ面接触される。なお、この凹面部４２の第１の接点ランド４３ａ〜４３ｎ、第１の接地接点ランド４４ａ，４４ｂは、図示していないがそれぞれ前記マッチング基板１０１に接続するための配線パターンと接地パターンがそれぞれ延出されている。
【００５６】
又、前記コネクタ受け部４１の凹面部４２に隣接される平面部４７には、第２の接点ランド４８ａ〜４８ｎ、第２の接地接点ランド４９ａ，４９ｂが形成されている。この第２の接点ランド４８ａ〜４８ｎと接地接点ランド４９ａ，４９ｂは、前記第１の接点ランド４３ａ〜４３ｎと接地接点ランド４４ａ，４４ｂと同じ形状寸法と間隔により形成されている。この平面部４７の第２の接点ランド４８ａ〜４８ｎの長手方向の中心部分の側方近傍には、第３の位置決め軸４５ｃが設けられている。なお、このコネクタ受け部４１の凹面部４２と平面部４７の長手方向の両側方には、後述する接続基板５１が取付固定される取付ねじ穴４６ａ，４６ｂが設けられている。
【００５７】
なお、平面部４７の第２の接点ランド４８ａ〜４８ｎ、第２の接地接点ランド４９ａ，４９ｂは、図示していないがそれぞれ前記マッチング基板１０１に接続するための配線パターンと接地パターンがそれぞれ延出されている。
【００５８】
次に、前記接続基板５１について、図６を用いて説明する。この接続基板５１の一方の面には、第３の接点ランド５２ａ〜５２ｎ、第３の接地接点ランド５３ａ，５３ｂが設けられている。この第３の接点ランド５２ａ〜５２ｎと接地接点ランド５３ａ，５３ｂは、前記ケーブルコネクタ４０の表面配線基板１１ａに設けられている接片ランド１８ａ〜１８ｎ、接地接片ランド１９ａ，１９ｂと同じ形状寸法と間隔に形成されている。
【００５９】
この第３の接点ランド５２ａ〜５２ｎと接地接点ランド５３ａ，５３ｂと並行して、第４の接点ランド５２’ａ〜５２’ｎと、第４の接地接点ランド５３’ａ，５３’ｂが設けられている。この第４の接点ランド５２’ａ〜５２’ｎと接地接点ランド５３’ａ，５３’ｂは、前記コネクタ受け部４１の第２の接点ランド４８ａ〜４８ｎと接地接点ランド４９ａ，４９ｂと同じ形状寸法と間隔に形成され、かつ、面接触される位置に設けられている。
【００６０】
この接続基板５１の第３の接点ランド５２ａ〜５２ｂと接地接点ランド５３ａ，５３ｂ、第４の接点ランド５２’ａ〜５２’ｎと接地接点ランド５３’ａ，５３’ｂの間は、それぞれ配線パターン５４ａ〜５４ｎと接地パターン５５ａ，５５ｂにより電気的に接続されている。
【００６１】
更に、この接続基板５１には、前記コネクタ受け部４１に設けられた第１〜第３の位置決め軸４５ａ〜４５ｃの対向位置に設けられた第１〜第３の位置決め穴５６ａ〜５６ｃと、前記コネクタ受け部４１の取付ネジ穴４６ａ，４６ｂの対向位置に設けられたネジ挿通口５７ａ，５７ｂが設けられている。
【００６２】
このような構成のケーブルコネクタ４０、コネクタ受け部４１、及び接続基板５１の接続組立について図７を用いて説明する。前記超音波信号ケーブル６７の複数の信号線は、前記ケーブルコネクタ４０の両面配線基板１１ａ，１１ｂに設けられた信号線接続ランド１５ａ〜１５ｎと接地ランド１４、信号線接続ランド１５’ａ〜１５’ｎと接地ランド１４’に接続される。例えば、同軸線８８ａのそれぞれの信号芯線８１とシールド８３が表面配線基板１１ａの信号接続ランド１５ａ〜１５ｎと接地接片ランド１４、及び同軸線８８ｂのそれぞれの信号芯線８１とシールド８３が裏面配線基板１１ｂの信号線接続ランド１５’ａ〜１５’ｎと接地ランド１４’に半田付により電気的に接続される。
【００６３】
この超音波信号ケーブル６７に電気的に接続されたケーブルコネクタ４０は、前記内視鏡挿入部７１から挿入して、前記超音波コネクタ６８へと挿通延出させる。この超音波コネクタ６８の前記延長基板９５に代えて、接続コネクタ１０２に前記コネクタ受け部４１が設けられており、このコネクタ受け部４１の凹面部４２に前記ケーブルコネクタ４０の裏面基板１１ｂ側から装着する。このとき、凹面部４２に設けられている第１と第２の位置決め軸４５ａ，４５ｂにケーブルコネクタ４０に設けた第１と第２の位置決め穴２７ａ，２７ｂを挿通させながら装着する。前記ケーブルコネクタ４０は、前記第１と第２の位置決め軸４５ａ，４５ｂにより位置決めされて、前記凹面部４２に装着されると、前記ケーブルコネクタ４０の裏面基板１１ｂに設けられている接片ランド１８’ａ〜１８’ｎと接地接片ランド１９’ａ，１９’ｂが、前記凹面部４２の第１の接点ランド４３ａ〜４３ｎと接地接点ランド４４ａ，４４ｂに面接触する。
【００６４】
前記コネクタ受け部４１の凹面部４２に前記ケーブルコネクタ４０が装着されると、前記接続基板５１の第１〜第３の位置決め穴５６ａ〜５６ｃを前記コネクタ受け部４１の第１と第３の位置決め軸４５ａ〜４５ｃに挿通させながら、前記凹面部４２に装着されているケーブルコネクタ４０の表面配線基板１１ａと平面部４７に載置させる。つまり、接続基板５１が載置されると、この接続基板５１の第３の接点ランド５２ａ〜５２ｎと接地接点ランド５３ａ，５３ｂは、前記ケーブルコネクタ４０の表面配線基板１１ａに設けられた接片ランド１８ａ〜１８ｎと接地接片ランド１９ａ，１９ｂに面接触する。又、接続基板５１の第４の接点ランド５２’ａ〜５２’ｎと接地接点ランド５３’ａ，５３’ｂは、前記コネクタ受け部４１の平面部４７に設けられた第２の接点ランド４８ａ〜４８ｎと接地接点ランド４９ａ，４９ｂに面接触する。この状態において、前記ネジ挿通口５７ａ，５７ｂから雄ネジ５８ａ，５８ｂを挿通させて、前記接続基板５１を前記コネクタ受け部４１に固定する。
【００６５】
これにより、前記ケーブルコネクタ４０の両面配線基板１１ａ，１１ｂに設けられた接片ランド１８ａ〜１８ｎ，１８’ａ〜１８’ｎと接地ランド１９ａ，１９ｂ，１９’ａ，１９’ｂは、コネクタ受け部４１と接続基板５１を介して、マッチング基板１０１に接続される。すなわち、ケーブルコネクタ４０は、超音波信号ケーブル６７の信号線を両面に接続可能としたことにより、ケーブルコネクタの横幅を小さくでき、内視鏡挿入部６２の超音波信号ケーブルチャンネルへのより一層の細径化が可能となる。又は、超音波信号ケーブルの多くの信号線を両面に接続することにより、ケーブルコネクタの超音波信号ケーブルへの接続個数の削減も可能となり、前記超音波信号ケーブルチャンネルへの挿通操作も容易となる。更に、前記超音波コネクタ６８に前記ケーブルコネクタ４０を重ねて装着させるコネクタ受け部４１と、このコネクタ受け部４１と接続基板５１によって、前記ケーブルコネクタ４０をサンドイッチ装着することにより超音波コネクタ６８への接続も容易となり、特にケーブルコネクタ４０と超音波コネクタ６８との接続に半田付け作業を必要としないために、超音波コネクタ６８の取付効率も向上する。
【００６６】
次に、本発明に係る超音波信号ケーブルコネクタ装置の第三の実施形態について、図８を用いて説明する。図８は本発明に係る超音波信号ケーブルコネクタ装置の第三の実施形態の構成を示し、図８（ａ）は表面図、図８（ｂ）は裏面図である。
【００６７】
この第三の実施形態のケーブルコネクタ６０は、前述した第二の実施形態と同様に長方形状に形成された配線基板６１のケーブル接続部１２’の表裏両面に超音波信号ケーブル６７の信号芯線８１とシールド８３が半田付により電気的に接続される信号線接続ランド６２ａ〜６２ｎ，６２’ａ〜６２’ｎと接地ランド６３，６３’が設けられている。このケーブルコネクタ６０の表面配線基板６１ａのコネクタ接続部１３’には、前記ケーブル接続部１２’の接地ランド６３の両端から延出された接地パターン６４ａ，６４ｂ、信号線接続ランド６２ａ〜６２ｎからそれぞれ延出された複数の配線パターン６３、前記接地パターン６４ａ，６４ｂに接続された接地接片ランド６５ａ，６５ｂ、前記配線パターン６３に接続された接片ランド６６ａ〜６６ｎ、スルーホールを有する接地接片ランド（スルーホール付き接地接片ランドと称する）６５ｃ、６５ｄ、及びスルーホールを有する接片ランド（以下、スルーホール付き接片ランドと称する）６７ａ〜６７ｎが設けられている。
【００６８】
前記配線パターン６３は、長方形状の表面配線基板６１ａの長手方向の中心軸に対して、略左右均等に所定の間隔に形成されている。前記接地接片ランド６５ａ，６５ｂと接片ランド６６ａ〜６６ｎは、前記長方形状の表面配線基板６１ａの両長辺に沿って、同一形状寸法により等間隔に形成されている。前記スルーホール付き接地接片ランド６５ｃ，６５ｄとスルーホール付き接片ランド６７ａ〜６７ｎは、前記接地ランド６４ａ，６４ｂと接片ランド６６ａ〜６６ｎと同一形状により前記接地ランド６４ａ，６４ｂと接片ランド６６ａ〜６６ｎのそれぞれの間に形成されている。
【００６９】
前記ケーブルコネクタ６０の裏面配線基板６１ｂのコネクタ接続部１３’には、前記ケーブル接続部１２’の接地ランド６３’の両端から延出された接地パターン６４’ａ，６４’ｂ、前記信号線接続ランド６２’ａ〜６２’ｎからそれぞれ延出された複数の配線パターン６３’、前記接地パターン６４‘ａ，６４’ｂに接続された接地スルーホール６５’ｃ，６５’ｄ、前記配線パターン６３’に接続されたスルーホール６７’ａ〜６７’ｎが設けられている。
【００７０】
前記配線パターン６３’は、長方形状の裏面配線基板６１ｂの長手方向の中心軸に対して、略左右均等に所定の間隔に形成されている。前記接地スルーホール６５’ｃ，６５’ｄとスルーホール６７’ａ〜６７’ｎは、前記表面配線基板６１ａに設けられているスルホール付き接地接片ランド６５ｃ，６５ｄとスルーホール付き接片ランド６７ａ〜６７ｎにそれぞれ電気的に接続されている。
【００７１】
つまり、このケーブルコネクタ６０は、配線基板６１のケーブル接続部１２’の表裏両面に形成された信号線接続ランド６２ａ〜６２ｎ，６２’ａ〜６２’ｎと接地接片ランド６３，６３’に超音波信号ーブル６７の複数の信号線が接続されるようになっている。このケーブルコネクタ６０の表面配線基板６１ａに接続された超音波信号ケーブル６７の複数の信号線は、それぞれの接地パターン６４ａ，６４ｂと配線パターン６５ａ〜６５ｎを介して、前記接地接片ランド６５ａ，６５ｂと接続接片ランド６６ａ〜６６ｎに接続される。又、裏面配線基板６１ｂに接続された超音波信号ケーブル６７の複数の信号線は、それぞれの接地パターン６４’ａ，６４’ｂと配線パターン６３’を介して、接地スルーホール６５’ｃ，６５’ｄとスルーホール６７’ａ〜６７’ｎへと接続される。つまり、裏面配線基板６１ｂに接続された超音波信号ケーブル６７の信号線は、接地スルーホール６５’ｃ，６５’ｄとスルーホール６７’ａ〜６７’ｎを介して、表面配線基板６１ａに設けられているスルーホール付き接地接片ランド６５ｃ，６５ｄとスルーホール付き接片ランド６６ａ〜６６ｎに接続される。すなわち、このケーブルコネクタ６０は、ケーブル接続部１２’に超音波信号ケーブル６７の信号線が配線基板６１の両面に接続可能とし、超音波コネクタ６８に接続する接片ランド６５ａ〜６５ｄ，６６ａ〜６６ｎ，６７ａ〜６７ｎは片面に設け、この配線基板６１ａの裏面に接続された信号線は、スルーホール６５’ｃ，６５’ｄ，６７’ａ〜６７’ｎを介して表面配線基板６１ａに設けられた接片ランド６５ｃ〜６５ｄ，６７ａ〜６７ｎに接続させるようにしている。
【００７２】
なお、このようなケーブルコネクタ６０を前記超音波コネクタ６８に接続するためのコネクタ受け部は、図２を用いて説明した前記コネクタ受け部２０に、前記ケーブルコネクタ６０のコネクタ接続部１３’の接地接片ランド６５ａ〜６５ｄ、接片ランド６６ａ〜６６ｎ、スルーホール付き接片ランド６７ａ〜６７ｎにそれぞれ対向接合する接点ランドを形成させる。これにより、ケーブルコネクタ６０の超音波コネクタ６８への接続も容易となる。
【００７３】
以上説明したように、本発明の超音波信号ケーブルコネクタ装置は、内視鏡挿入部等の超音波信号ケーブルチャンネルへの挿通可能な形状に成型でき、超音波コネクタへの接続も半田付け作業を行うことなく接続可能となる。
【００７４】
［付記］
以上詳述した本発明の実施形態によれば、以下のごとき構成を得ることができる。
【００７５】
（付記１）  体腔内に挿入される挿入部先端に設けられ、体腔内組織に対して超音波を発信すると共に、体腔内組織から反射された超音波を受信して超音波信号を生成する電子走査式超音波振動子を有する超音波内視鏡と、その超音波内視鏡の超音波振動子を駆動制御すると共に、生成された超音波信号から超音波画像信号を生成する超音波観測機器とからなる超音波内視鏡装置に用いられる超音波信号ケーブルコネクタ装置において、
前記電子走査式超音波振動子に接続された複数の信号線を有する超音波信号ケーブルと、  この超音波信号ケーブルを前記超音波観測機器に接続するための超音波コネクタと、
前記超音波信号ケーブルの外径と略同等或いはそれ以下の幅寸法を有する長方形状の配線基板と、
前記超音波信号ケーブルの複数の信号線を電気的に接続させるために、前記配線基板の一方の短辺側の表面に並列配置させた複数の信号線接続ランドと、
前記超音波コネクタに設けられた複数の接続コネクタ片と電気的に接続させるために、前記配線基板の表面長手方向に縦列配置させた複数の接片ランドと、
前記配線基板の表面に設けられ、前記複数の信号線接続ランドと接片ランドとのそれぞれを接続する複数の配線パターンと、
を具備したことを特徴とする超音波信号ケーブルコネクタ装置。
【００７６】
（付記２）  前記複数の信号線接続ランド、接片ランド、及び配線パターンのそれぞれを前記配線基板の表裏両面に設けたことを特徴とする付記１記載の超音波信号ケーブルコネクタ装置。
【００７７】
（付記３）  前記複数の信号線接続ランドを前記配線基板の一方の短辺側の表裏両面に並列配置し、前記複数の接片ランドを前記配線基板の表面の両長辺側に縦列配置し、前記配線基板の裏面に設けられた前記信号線接続ランドは、スルーホールを介して、前記接片ランドに接続させたことを特徴とする付記１記載の超音波信号ケーブルコネクタ装置。
【００７８】
（付記４）  前記超音波コネクタは、前記配線基板の接片ランドに圧着接続される複数の接点ランドと、その接点ランドから延出され、前記超音波観測機器に接続するための複数のコネクタピンに接続するための複数の接続パターンを有するコネクタ受け部を有したことを特徴とする付記１乃至３のいずれかに記載の超音波信号ケーブルコネクタ装置。
【００７９】
（付記５）  前記配線基板の一方の面に設けられた接片ランドに接続される第１の接点ランドと、この第１の接点ランドと併設された第２の接点ランドを有するコネクタ受け部と、
前記配線基板の他方の面に設けられた接片ランドに接続される第３の接点ランドと、前記コネクタ受け部の第２の接点ランドに接続される第４の接点ランドと、この第３と第４の接点ランドを接続する配線パターンとを有する接続基板と、
を備えたことを特徴とする付記２，または４のいずれかに記載の超音波信号ケーブルコネクタ装置。
【図面の簡単な説明】
【００８０】
【図１】本発明に係る超音波信号ケーブルコネクタ装置の第一の実施形態の構成を示す表面図。
【図２】本発明の第一の実施形態に係る超音波信号ケーブルコネクタ装置に接続される超音波コネクタに設けられるコネクタ受け部の構成を示す表面図。
【図３】本発明の第一の実施形態に係る超音波信号ケーブルコネクタ装置とコネクタ受け部との装着状態を示し、図３（ａ）は表面図、図３（ｂ）は断面図。
【図４】本発明に係る超音波信号ケーブルコネクタ装置の第二の実施形態の構成を示し、図４（ａ）は表面図、図４（ｂ）は裏面図、図４（ｃ）断面図。
【図５】本発明に係る超音波信号ケーブルコネクタ装置の第二の実施形態である超音波信号ケーブルコネクタを装着するコネクタ受け部の構成を示し、図５（ａ）は表面図、図５（ｂ）は断面図。
【図６】本発明に係る超音波信号ケーブルコネクタ装置の第二の実施形態である超音波信号ケーブルコネクタとコネクタ受け部とを接続する接続基板の構成を示し、図６（ａ）は表面図、図６（ｂ）は断面図。
【図７】本発明に係る超音波信号ケーブルコネクタ装置の第二の実施形態である超音波信号ケーブルコネクタとコネクタ受け部との装着状態を示し、図７（ａ）は表面図、図５（ｂ）は断面図。
【図８】本発明にかかる超音波進行ケーブルコネクタ装置の第三の実施形態である超音波信号ケーブルコネクタの構成を示し、図８（ａ）は表面図、図８（ｂ）は裏面図。
【図９】従来の超音波内視鏡の構成を説明する説明図。
【図１０】従来の超音波内視鏡に用いられている超音波信号ケーブルの構成を示す平面図。
【図１１】従来の超音波内視鏡に用いる超音波信号ケーブルのケーブルコネクタ基板の構成を示す平面図。
【図１２】従来の超音波内視鏡に用いる超音波コネクタの構成を示す断面図。
【符号の説明】
【００８１】
１０    ケーブルコネクタ
１１    配線基板
１２    ケーブル接続部
１３    コネクタ接続部
１４    接地ランド
１５    信号線接続ランド
１６    接地パターン
１７    配線パターン
１８    接片ランド
１９    接地接片ランド
２０    コネクタ受け部
２２    接点ランド
２３    接地接点ランド
２４    配線パターン
２５    接地パターン
【図１】
2005192640.tif 000003
【図２】
2005192640.tif 000004
【図３】
2005192640.tif 000005
【図４】
2005192640.tif 000006
【図５】
2005192640.tif 000007
【図６】
2005192640.tif 000008
【図７】
2005192640.tif 000009
【図８】
2005192640.tif 000010
【図９】
2005192640.tif 000011
【図１０】
2005192640.tif 000012
【図１１】
2005192640.tif 000013
【図１２】
2005192640.tif 000014